(57)【要約】【課題】屋外であっても表示モニタを介してユーザに視認性の高い画像を確認させることができる表示装置を提供すること。【解決手段】撮像部が生成した画像データに対応する画像を表示する表示部１３を備えた表示装置１であって、表示部１３が表示している画像に対し、画像内における表示態様が切換え可能な切換領域を設定する領域設定部１９ｇと、領域設定部１９ｇが設定した切換領域の表示態様を画像内における他の領域に対して識別可能な表示態様に切換えて表示部１３に表示させる制御を行うシステムコントローラ１９とを備える。【選択図】図１
2012008222.tif 000002
【特許請求の範囲】
【請求項１】
画像を表示する表示部を備えた携帯型の表示装置において、
前記表示部が表示する画像内で表示態様を切換え可能な切換領域を設定する領域設定部と、
前記領域設定が設定した前記切換領域の表示態様を画像内における他の領域に対して識別可能な表示態様に切換えて前記表示部に表示させる制御を行う制御部と、
を備えたことを特徴とする表示装置。
【請求項２】
前記表示部が表示する前記画像に対し、少なくとも文字および記号を含む文字記号情報を検出する文字記号情報検出部を備え、
前記制御部は、前記切換領域における前記文字記号情報を強調して前記表示部に表示させる制御を行うことを特徴とする請求項１に記載の表示装置。
【請求項３】
視野領域からの光を集光するレンズ部を有し、該レンズ部が集光した光を用いて電子的な画像データを生成する撮像部を備え、
前記表示部は、前記撮像部が生成する前記画像データに対応する画像を表示することを特徴とする請求項１または２に記載の表示装置。
【請求項４】
前記文字記号検出部が検出した前記文字記号情報の位置を、前記画像上の座標系で見たときの座標点に対応付けることによって前記画像データのヘッダ情報を生成するヘッダ情報生成部と、
前記ヘッダ情報生成部が生成した前記ヘッダ情報を参照して、前記領域設定部が設定した前記切換領域に含まれる前記文字記号情報を判定する文字記号情報判定部と、
を備え、
前記制御部は、前記文字記号情報判定部の判定結果に応じて前記切換領域における前記文字記号情報を強調して前記表示部に表示させる制御を行うことを特徴とする請求項３に記載の表示装置。
【請求項５】
前記制御部は、前記切換領域に含まれる前記文字記号情報の表示色を周期的に変更して前記表示部に表示させる制御を行うことを特徴とする請求項２〜４のいずれか一つに記載の表示装置。
【請求項６】
前記切換領域に含まれる前記文字記号情報の表示面積および／または表示色を変化させて強調する強調画像を生成する強調画像生成部を備え、
前記制御部は、前記強調画像を所定の間隔で前記切換領域に重ねて表示させる制御を行うことを特徴とする請求項２〜４のいずれか一つに記載の表示装置。
【請求項７】
前記領域設定部が設定した前記切換領域に、前記表示部が表示している前記画像に対して識別可能な識別記号を付加する識別記号付加部を備え、
前記制御部は、前記識別記号を強調して前記表示部に表示させる制御を行うことを特徴とする請求項１に記載の表示装置。
【請求項８】
前記識別記号として付加する文字および／または記号を予め文字テンプレートとして記憶する文字テンプレート記憶部を備え、
前記識別記号付加部は、前記文字テンプレートの中から選択された文字および／または記号を前記識別記号として前記切換領域に付加することを特徴とする請求項７に記載の表示装置。
【請求項９】
前記画像は、地図画像であり、
前記文字記号情報は、前記地図画像に含まれる地図記号および／または文字である地図記号情報であることを特徴とする請求項１〜８のいずれか一つに記載の表示装置。
【請求項１０】
前記表示部の表示画面上に設けれ、外部からの物体の接触位置に応じた信号の入力を受け付ける入力部を備え、
前記領域設定部は、前記表示部が表示している前記画像に対し、前記入力部における外部からの物体の接触位置に応じて前記切換領域を設定することを特徴する請求項１〜９のいずれか一つに記載の表示装置。
【発明の詳細な説明】
【技術分野】
【０００１】
本発明は、電子的な画像データを表示する表示装置に関する。
【背景技術】
【０００２】
近年、デジタル機器の携帯化が進み、液晶パネル等の表示モニタで表示する画像を屋外の強い太陽光下で鑑賞や確認する機会が増加している。しかし、表示モニタで表示する画像には、強い太陽光下で単に画像の内容が分かれば良いもの、画像の色合いや陰影などが重要なものなど様々である。このように表示モニタで表示する画像には、それぞれの役割があり、たとえば、撮影者が撮影した画像に対して優先度を示す情報を付加させて記録媒体に記憶させ、表示モニタで表示する際に優先度に応じて画像を表示することで、撮影者が所望する画像を敏速に表示することができる技術が知られている（特許文献１参照）。
【先行技術文献】
【特許文献】
【０００３】
【特許文献１】特開２０１０−９３７７０号公報
【発明の概要】
【発明が解決しようとする課題】
【０００４】
ところで、従来の携帯可能なデジタル機器では、ユーザが屋外の強い太陽光下で表示モニタに表示される画像を鑑賞や確認する場合、表示モニタが撮像した画像などをユーザの見た通りの被写体の色調や質感で再現する必要があるため、画像の視認性が低下し、画像の内容を確認しづらいという問題点があった。
【０００５】
本発明は、上記に鑑みてなされたものであって、屋外であっても表示モニタを介してユーザに視認性の高い画像を確認させることができる表示装置を提供することを目的とする。
【課題を解決するための手段】
【０００６】
上述した課題を解決し、目的を達成するために、本発明に係る表示装置は、画像を表示する表示部を備えた携帯型の表示装置において、前記表示部が表示する画像内で表示態様を切換え可能な切換領域を設定する領域設定部と、前記領域設定が設定した前記切換領域の表示態様を画像内における他の領域に対して識別可能な表示態様に切換えて前記表示部に表示させる制御を行う制御部と、を備えたことを特徴とする。
【０００７】
また、本発明に係る表示装置は、上記発明において、視野領域からの光を集光するレンズ部を有し、該レンズ部が集光した光を用いて電子的な画像データを生成する撮像部を備え、前記表示部は、前記撮像部が生成する前記画像データに対応する画像を表示することを特徴とする。
【０００８】
また、本発明に係る表示装置は、上記発明において、前記表示部が表示する前記画像に対し、少なくとも文字および記号を含む文字記号情報を検出する文字記号情報検出部を備え、前記制御部は、前記切換領域における前記文字記号情報を強調して前記表示部に表示させる制御を行うことを特徴とする。
【０００９】
また、本発明に係る表示装置は、上記発明において、視野領域からの光を集光するレンズ部を有し、該レンズ部が集光した光を用いて電子的な画像データを生成する撮像部を備え、前記表示部は、前記撮像部が生成する前記画像データに対応する画像を表示することを特徴とする。
【００１０】
また、本発明に係る表示装置は、上記発明において、前記文字記号検出部が検出した前記文字記号情報の位置を、前記画像上の座標系で見たときの座標点に対応付けることによって前記画像データのヘッダ情報を生成するヘッダ情報生成部と、前記ヘッダ情報生成部が生成した前記ヘッダ情報を参照して、前記領域設定部が設定した前記切換領域に含まれる前記文字記号情報を判定する文字記号情報判定部と、を備え、前記制御部は、前記文字記号情報判定部の判定結果に応じて前記切換領域における前記文字記号情報を強調して前記表示部に表示させる制御を行うことを特徴とする。
【００１１】
また、本発明に係る表示装置は、上記発明において、前記制御部は、前記切換領域に含まれる前記文字記号情報の表示色を周期的に変更して前記表示部に表示させる制御を行うことを特徴とする。
【００１２】
また、本発明に係る表示装置は、上記発明において、前記切換領域に含まれる前記文字記号情報の表示面積および／または表示色を変化させて強調する強調画像を生成する強調画像生成部を備え、前記制御部は、前記強調画像を所定の間隔で前記切換領域に重ねて表示させる制御を行うことを特徴とする。
【００１３】
また、本発明に係る表示装置は、上記発明において、前記領域設定部が設定した前記切換領域に、前記表示部が表示している前記画像に対して識別可能な識別記号を付加する識別記号付加部を備え、前記制御部は、前記識別記号を強調して前記表示部に表示させる制御を行うことを特徴とする。
【００１４】
また、本発明に係る表示装置は、上記発明において、前記識別記号として付加する文字および／または記号を予め文字テンプレートとして記憶する文字テンプレート記憶部を備え、前記識別記号付加部は、前記文字テンプレートの中から選択された文字および／または記号を前記識別記号として前記切換領域に付加することを特徴とする。
【００１５】
また、本発明に係る表示装置は、上記発明において、前記画像は、地図画像であり、前記文字記号情報は、前記地図画像に含まれる地図記号および／または文字である地図記号情報であることを特徴とする。
【００１６】
また、本発明に係る表示装置は、上記発明において、前記表示部の表示画面上に設けれ、外部からの物体の接触位置に応じた信号の入力を受け付ける入力部を備え、前記領域設定部は、前記表示部が表示している前記画像に対し、前記入力部における外部からの物体の接触位置に応じて前記切換領域を設定することを特徴する。
【発明の効果】
【００１７】
本発明に係る表示装置によれば、領域設定部が表示部によって表示される画像内における表示態様が切換え可能な切換領域を設定し、制御部が領域設定部によって設定された切換領域の表示態様を画像内における他の領域に対して識別可能な表示態様に切換えて表示部に表示させる制御を行う。これにより、屋外であっても表示モニタを介してユーザに視認性の高い画像を確認させることができるという効果を奏する。
【図面の簡単な説明】
【００１８】
【図１】図１は、本発明の実施の形態１に係る表示装置の構成を示すブロック図である。
【図２】図２は、本発明の実施の形態１に係る表示装置の背面側の構成を示す斜視図である。
【図３】図３は、本発明の実施の形態１に係る表示装置が行う処理の概要を示すフローチャートである。
【図４】図４は、本発明の実施の形態１に係る表示装置の地図撮影モードで地図案内板を撮影する際の状況を示す図である。
【図５】図５は、本発明の実施の形態１に係る表示装置が地図撮影モードで地図案内板を撮影する際に表示部が表示する画像の一例を示す図である。
【図６】図６は、本発明の実施の形態１に係る表示装置が地図撮影モードで地図案内板を撮影する際に表示部が表示する画像の一例を示す図である。
【図７】図７は、本発明の実施の形態１に係る表示装置の画像ファイル生成部が生成する画像ファイルのデータ構造を示す図である。
【図８】図８は、本発明の実施の形態１に係る表示装置が行う再生表示処理の概要を示すフローチャートである。
【図９】図９は、本発明の実施の形態１に係る表示装置が行う強調表示処理の概要を示すフローチャートである。
【図１０】図１０は、撮影者によってタッチされた位置に応じて領域設定部が設定する切換領域を示す図である。
【図１１】図１１は、本発明の実施の形態１に係る表示装置の画像処理部が強調表示処理において行う処理の概要を示す図である。
【図１２】図１２は、本発明の実施の形態１に係る変形例において表示装置の領域設定部が設定する切換領域を示す図である。
【図１３】図１３は、本発明の実施の形態２に係る表示装置が行う強調表示処理の概要を示すフローチャートである。
【図１４】図１４は、本発明の実施の形態２に係る表示装置の強調画像生成部による強調画像の生成方法を説明する模式図である。
【図１５】図１５は、本発明の実施の形態３に係る表示装置の構成を示すブロック図である。
【図１６】図１６は、本発明の実施の形態３に係る表示装置が行う強調表示処理の概要を示すフローチャートである。
【図１７】図１７は、本発明の実施の形態３に係る表示装置の表示部が表示する画像の一例を示す図である。
【発明を実施するための形態】
【００１９】
以下、図面を参照して、本発明を実施するための形態（以下、「実施の形態」という）について説明する。なお、以下に説明する実施の形態によって本発明が限定されるものではない。また、図面の記載において、同一の部分には同一の符号を付している。
【００２０】
（実施の形態１）
図１は、本実施の形態１に係る表示装置の構成を示すブロック図である。図２は、本実施の形態１に係る表示装置の撮影者に面する側（背面側）の構成を示す図である。図１および図２に示す表示装置１は、デジタル一眼レフカメラとして説明するが、本発明はこの例に限定されるものではなく、例えばデジタルビデオカメラやカメラ付き携帯電話など、画像を再生することができる各種電子機器に本実施の形態を適用することができる。
【００２１】
図１および図２に示すように、表示装置１は、レンズ部２と、レンズ駆動機構３と、絞り駆動機構４と、シャッタ駆動機構５と、撮像素子６と、信号処理部７と、手ブレ検出部８と、姿勢検出部９と、方位検出部１０と、音声入出力部１１と、操作入力部１２と、表示部１３と、タッチパネル１４と、記録媒体インタフェース１５と、不揮発性メモリ１６と、揮発性メモリ１７と、ＧＰＳ受信部１８と、システムコントローラ１９と、を備える。
【００２２】
レンズ部２は、フォーカスレンズ及びズームレンズ等によって構成され、所定の視野領域から光を集光する。レンズ部２は、ズームレンズが光軸Ｑ上を移動することによって画角を変化させる光学ズーム機能を有する。
【００２３】
レンズ駆動機構３は、ＤＣモータ等によって構成され、レンズ部２のフォーカスレンズやズームレンズを光軸Ｑ上で移動させることによってレンズ部２の焦点位置や焦点距離の変更を行う。
【００２４】
絞り駆動機構４は、絞り４ａ及びステッピングモータ等によって構成され、絞り４ａを駆動することによってレンズ部２が集光した光の入射量を調整する。
【００２５】
シャッタ駆動機構５は、シャッタ５ａ及びステッピングモータ等によって構成され、シャッタ５ａを駆動することによって撮像素子６の状態を露光状態または遮光状態に設定する。
【００２６】
撮像素子６は、レンズ部２が集光した光を受光して電気信号（アナログ信号）に変換するＣＣＤ（Charge  Coupled  Device）やＣＭＯＳ（Complementary  Metal  Oxide  Semiconductor）等によって実現され、変換した電気信号を信号処理部７に出力する。
【００２７】
信号処理部７は、撮像素子６から出力される電気信号に増幅等の信号処理を施した後、Ａ／Ｄ変換を行うことによってデジタルの画像データに変換し、システムコントローラ１９を介して揮発性メモリ１７に出力する。なお、撮像素子６および信号処理部７を含む構成は、レンズ部２が集光した光を用いて電子的な画像データを連続的に生成する撮像部として機能する。
【００２８】
手ブレ検出部８は、ジャイロセンサによって構成され、表示装置１の角速度を検出することにより、撮影者の手ブレによる画像のブレ状態を検出する。具体的には、手ブレ検出部８は、レンズ部２の光軸Ｑと平行な方向をＺ軸方向とし、Ｚ軸方向に垂直な平面（撮像素子６の撮像面）をＸＹ平面としたときのＸ軸、Ｙ軸およびＺ軸の各軸回りの角速度を個別のジャイロセンサで検出することによって、撮影者の手ブレを検出する。
【００２９】
姿勢検出部９は、加速度センサによって構成され、表示装置１の加速度を検出することにより、表示装置１の姿勢状態を検出する。具体的には、姿勢検出部９は、表示装置１の重力方向と直交する面である水平面を基準としたときの表示装置１の姿勢を検出する。
【００３０】
方位検出部１０は、磁気方位センサによって構成され、表示装置１の方位を検出する。具体的には、図２に示すように、方位検出部１０は、表示装置１の側面を水平状態にした際に地磁気の垂直方向と水平方向とを検出することにより、予め設定された方向、たとえば北に対する角度を検出する。
【００３１】
音声入出力部１１は、マイクやスピーカ等によって構成され、たとえば音声情報の取得または出力を行う。
【００３２】
操作入力部１２は、図２に示すように、表示装置１の電源状態をオン状態またはオフ状態に切換える電源スイッチ１２ａと、静止画撮影の指示を与えるレリーズ信号を入力するレリーズスイッチ１２ｂと、表示装置１の各種撮影モードを切換えるモード切換スイッチ１２ｃと、表示装置１の各種設定を行う操作スイッチ１２ｄと、レンズ部２のズーム操作を行うズームスイッチ１２ｅとを有する。
【００３３】
表示部１３は、液晶または有機ＥＬ（Electro  Luminescence）等からなる表示パネルを用いて実現される。表示部１３は、撮像素子６が生成する画像データに対応する画像を表示する。表示部１３は、表示装置１の操作情報および撮影に関する情報を適宜表示する。
【００３４】
タッチパネル１４は、表示部１３の表示画面上に重ねて設けられる（図２を参照）。タッチパネル１４は、撮影者が表示部１３で表示される情報に基づいて接触（タッチ）した位置を検出し、この接触位置に応じた操作信号の入力を受け付ける。一般に、タッチパネルとしては、抵抗膜方式、静電容量方式、光学式等がある。本実施の形態１では、いずれの方式のタッチパネルであっても適用可能である。なお、本実施の形態１では、タッチパネル１４が入力部として機能する。
【００３５】
記録媒体インタフェース１５は、表示装置１の外部から装着される記録媒体のメモリカード１５ａに対して画像データ等の情報を記憶する一方、メモリカード１５ａが記憶する情報を読み出す。
【００３６】
不揮発性メモリ１６は、フラッシュメモリ等によって実現される。不揮発性メモリ１６は、表示装置１を動作させるための各種プログラムを記憶したプログラムコード１６ａと、プログラムの実行中に使用される各種データ等を記憶した制御パラメータ１６ｂと、少なくとも文字および地図記号に対してパターンマッチング等を行うための地図記号情報メモリ１６ｃとを有する。
【００３７】
揮発性メモリ１７は、ＳＤＲＡＭ（Synchronous  Dynamic  Random  Access  Memory）によって実現される。揮発性メモリ１７は、信号処理部７から出力される画像データやシステムコントローラ１９による処理中の情報が一時的に記録されるワークエリア１７ａを有する。具体的には、揮発性メモリ１７は、撮像素子６が１フレーム（例えば１／３０秒）毎に出力する画像データに対応する画像（ライブビュー画像）やレリーズスイッチ１２ｂが操作された際に撮像素子６が出力する画像データに対応する画像等を一時的に記憶する。
【００３８】
ＧＰＳ受信部１８は、地上の物体の位置を測位する測定手段であるＧＰＳ（Global  Positioning  System）を構成する複数のＧＰＳ衛星から送信されてくる衛星の軌道情報を受信する。
【００３９】
システムコントローラ１９は、ＣＰＵ（Central  Processing  Unit）等によって実現され、操作入力部１２からの操作信号等に応じて不揮発性メモリ１６からプログラムを読み出して実行し、表示装置１を構成する各部に対する指示やデータの転送等を行って表示装置１の動作を統括的に制御する。システムコントローラ１９は、画像処理部１９ａと、圧縮・伸長部１９ｂと、ＡＦ制御部１９ｃと、ＡＥ制御部１９ｄと、タイマカウンタ１９ｅと、顔検出部１９ｆと、領域設定部１９ｇと、文字記号検出部１９ｈと、ヘッダ情報生成部１９ｉと、画像ファイル生成部１９ｊと、文字記号判定部１９ｋと、強調画像生成部１９ｌとを有する。
【００４０】
画像処理部１９ａは、信号処理部７から出力された画像データに対して各種の画像処理を施し、揮発性メモリ１７に出力する。具体的には、画像処理部１９ａは、信号処理部７から出力される画像データに対してエッジ強調、カラーバランス（ＲＧＢ）、色補正およびγ補正等の処理を施す。
【００４１】
圧縮・伸長部１９ｂは、揮発性メモリ１７のワークエリア１７ａに記憶された画像データをメモリカード１５ａに記憶させる場合またはメモリカード１５ａに記録されている画像データを表示部１３に表示させる場合に、ＪＰＥＧ（Joint  Photographic  Experts  Group）圧縮方式等に基づいて画像データの圧縮処理や伸長処理を行う。
【００４２】
ＡＦ制御部１９ｃは、信号処理部７から出力される画像データに基づいて、自動焦点調整を行う。たとえば、ＡＦ制御部１９ｃは、画像データのコントラストに基づいて、レンズ駆動機構３を駆動し、撮影する被写体像の鮮鋭度が最大となるようにレンズ部２を光軸Ｑ上で移動させる。
【００４３】
ＡＥ制御部１９ｄは、信号処理部７から出力される画像データに基づいて、静止画撮影を行う際の条件、たとえば絞り４ａの設定値、シャッタ速度等を決定することで自動露出を行う。
【００４４】
タイマカウンタ１９ｅは、表示装置１の動作の基準となる時間信号を生成する。これにより、システムコントローラ１９は、画像データの取得間隔、撮像素子６の露光時間等を設定することができる。
【００４５】
顔検出部１９ｆは、信号処理部７が出力する画像データに対応する画像に含まれる被写体の顔をパターンマッチング等で検出する。なお、本実施の形態１では、顔検出部１９ｆは、人物の顔を検出するようにしているが、たとえば犬や猫等の動物の顔であってもよい。
【００４６】
領域設定部１９ｇは、表示部１３が表示している画像に対し、タッチパネル１４における外部からの物体の接触位置に応じて定められ、画像内における表示態様が切換え可能な切換領域を設定する。具体的には、領域設定部１９ｇは、撮影者がタッチパネル１４に接触した位置を検出し、この位置に対応する画像の一部の領域を切換領域として設定する。なお、本実施の形態１では、領域設定部１９ｇは、タッチパネル１４に接触した位置に応じて切換領域を設定しているが、たとえば撮影者による操作スッチ１２ｄの操作内容に応じて切換領域を設定してもよい。
【００４７】
文字記号検出部１９ｈは、撮像素子６が生成した画像データに対応する画像に対し、少なくとも文字および記号を含む文字記号情報を検出する。具体的には、文字記号検出部１９ｈは、ＯＣＲ（Optical  Character  Reader）等によって構成され、不揮発性メモリ１６の地図記号情報メモリ１６ｃに記憶された地図記号情報を用いて、撮像素子６が生成する画像データに対応する画像に含まれる地図情報を検出する。ここで、地図情報とは、地図画像に含まれる地図記号および／または文字である。
【００４８】
ヘッダ情報生成部１９ｉは、文字記号検出部１９ｈが検出した文字記号情報の位置を、表示部１３が表示する画像上の座標系で見たときの座標点に対応付けることによって撮影した画像データのヘッダ情報を生成する。ヘッダ情報生成部１９ｉは、方位検出部１０が検出した方位情報やＧＰＳ受信部１８が受信した情報等をヘッダ情報に付加して生成してもよい。
【００４９】
画像ファイル生成部１９ｊは、撮像素子６が生成した画像データに、ヘッダ情報生成部１９ｉが生成したヘッダ情報を対応付けた画像ファイルを生成する。
【００５０】
文字記号判定部１９ｋは、ヘッダ情報生成部１９ｉが生成したヘッダ情報を参照して、領域設定部１９ｇが設定した切換領域に含まれる文字記号情報を判定する。
【００５１】
強調画像生成部１９ｌは、領域設定部１９ｇが設定した切換領域に含まれる文字記号情報の表示面積および／または表示色を変化させて強調する強調画像を生成する。たとえば、強調画像生成部１９ｌは、撮像素子６が生成した画像データに対応する画像内における所定領域をトリミングすることによって強調画像を生成する。
【００５２】
上述した各部を有するシステムコントローラ１９は、領域設定部１９ｇが設定した切換領域の表示態様を画像内における他の領域に対して識別可能な表示態様に切換えて表示部１３に表示させる制御を行う。さらに、システムコントローラ１９は、文字記号判定部１９ｋの判定結果に応じて切換領域に含まれる地図情報を強調して表示部１３に表示させる制御を行う。なお、本実施の形態１では、システムコントローラ１９が制御部として機能する。
【００５３】
以上の構成を有する表示装置１が行う処理について説明する。図３は、表示装置１が行う処理の概要を示すフローチャートである。
【００５４】
図３において、まず、システムコントローラ１９は、表示装置１の電源がオンになっているか否かを判断する（ステップＳ１０１）。表示装置１の電源がオンになっている場合（ステップＳ１０１：Ｙｅｓ）、表示装置１はステップＳ１０２に移行する。一方、表示装置１の電源がオンになっていない場合（ステップＳ１０１：Ｎｏ）、表示装置１は本処理を終了する。
【００５５】
続いて、システムコントローラ１９は、表示装置１が地図撮影モードに設定されているか否かを判断する（ステップＳ１０２）。具体的には、システムコントローラ１９は、表示装置１が被写体として地図や文字等を撮影する際に適したカラーバランス（ＲＧＢ）や露出等が調整された地図撮影モードに設定されているか否かを判断する。表示装置１が地図撮影モードに設定されている場合（ステップＳ１０２：Ｙｅｓ）、表示装置１はステップＳ１０３に移行する。一方、表示装置１が地図撮影モードに設定されていない場合（ステップＳ１０２：Ｎｏ）、表示装置１は後述するステップＳ１１３に移行する。
【００５６】
まず、表示装置１が地図撮影モードに設定されている場合（ステップＳ１０２：Ｙｅｓ）について説明する。この場合、システムコントローラ１９は、ＧＰＳ受信部１８を介して衛星から受信した衛星の軌道情報に基づいて、表示装置１の位置情報を検出する（ステップＳ１０３）。
【００５７】
続いて、方位検出部１０は、表示装置１の方位を検出する（ステップＳ１０４）。具体的には、方位検出部１０は、表示装置１の表示部１３の画面を水平状態にした場合において、画面の中心から画面内の垂直方向に伸びる方向を基準（０度）として右回りにみたときに、北までのズレ（θ度）を検出することによって今現在の表示装置１の方位を検出する。
【００５８】
その後、表示部１３は、撮像素子６が一定の微小な時間間隔で連続的に生成する画像データに対応するライブビュー画像（スルー画像）を表示し（ステップＳ１０５）、表示装置１はステップＳ１０６に移行する。
【００５９】
図４は、表示装置１の地図撮影モードで地図案内板を撮影する際の状況を示す図である。図５は、表示装置１が地図撮影モードで地図案内板を撮影する際に表示部１３が表示する画像の一例を示す図である。図５において、表示部１３が時系列に沿って順次表示するライブビュー画像のうち代表的な１枚の画像Ｗ１を示す。図４および図５に示すように、撮影者は、たとえば図５の画像Ｗ１のようなライブビュー画像を見ながら地図案内板Ｏ１の構図を決定する。
【００６０】
ステップＳ１０６において、文字記号検出部１９ｈは、撮像素子６が生成する画像データに対応する画像に対し、少なくとも文字および地図記号を含む地図情報を検出する。具体的には、図５に示す画像の場合、文字記号検出部１９ｈは、画像Ｗ１の中央付近に含まれる文字や地図記号、たとえば文字として「第１小」を検出するとともに地図記号として「文」を検出する。
【００６１】
続いて、システムコントローラ１９は、文字記号検出部１９ｈが画像内で検出した地図情報を表示部１３に強調表示させる（ステップＳ１０７）。
【００６２】
図６は、表示装置１が地図撮影モードで地図案内板を撮影する際に表示部１３が表示する画像の一例を示す図である。図６に示す画像Ｗ２のように、システムコントローラ１９は、文字記号検出部１９ｈが検出した地図記号、たとえば文字列「第１小」と地図記号「文」とを矩形状の枠で囲むように枠Ｂ１，Ｂ２を表示部１３に表示させる。これにより、撮影者は、表示部１３に表示されるライブビュー画像を見ながら、リアルタイムに画像内から文字や地図記号等を検出することができるか否かを判断することができる。なお、図６においては、画像内の文字や地図記号の全てを矩形状の枠で表示させているが、矩形状の枠で表示する文字や地図記号の数に制限を設けてもよい。さらに、システムコントローラ１９は、文字記号検出部１９ｈが検出した地図記号を矩形状の枠で表示部１３に表示させているが、たとえば円等でもよく、適宜変更することが可能である。
【００６３】
ステップＳ１０８において、システムコントローラ１９は、撮影者によってレリーズスイッチ１２ｂが操作（全押）されて撮影を指示するレリーズ信号が入力されたか否かを判断する。撮影を指示するレリーズ信号が入力されてない場合（ステップＳ１０８：Ｎｏ）、表示装置１はステップＳ１０６に戻り、撮影を指示するレリーズ信号が入力されるまで、一定の時間間隔、たとえば１秒毎にこの処理を繰り返す。一方、撮影を指示するレリーズ信号が入力された場合（ステップＳ１０８：Ｙｅｓ）、表示装置１はステップＳ１０９に移行する。
【００６４】
続いて、システムコントローラ１９は、現在の表示部１３が表示するライブビュー画像に対して撮影を行い、撮像素子６によって生成された画像データを揮発性メモリ１７のワークエリア１７ａに一時的に記憶させる（ステップＳ１０９）。
【００６５】
その後、ヘッダ情報生成部１９ｉは、文字記号検出部１９ｈが画像内から検出した地図情報の位置を、画像の中心を座標の原点とする座標系で見たときの座標点に対応付けて他の情報も含むヘッダ情報を生成する（ステップＳ１１０）。なお、本実施の形態１では、ヘッダ情報生成部１９ｉは、文字記号検出部１９ｈが画像内から検出した地図情報の位置を、画像の中心を座標の原点とする座標系で見たときの座標点に対応付けてヘッダ情報を生成しているが、たとえば撮影者による操作スイッチ１２ｄの操作内容に応じて画像内における座標の原点を設定してもよい。
【００６６】
続いて、画像ファイル生成部１９ｊは、揮発性メモリ１７のワークエリア１７ａに一時的に記憶された画像データに、ヘッダ情報生成部１９ｉが生成したヘッダ情報を付加して画像ファイルを生成し（ステップＳ１１１）、表示装置１は後述するステップＳ１１２に移行する。
【００６７】
ここで、図３に示すステップＳ１１１で画像ファイル生成部１９ｊが生成する画像ファイルのデータ構造について説明する。図７は、画像ファイル生成部１９ｊが生成する画像ファイルのデータ構造を示す図である。図７に示すように、画像ファイルＦ１は、画像データを生成した際のヘッダ情報Ｈ１および画像データＤ１から構成される。
【００６８】
ヘッダ情報Ｈ１は、撮影時刻Ｈ１１と、撮影条件Ｈ１２と、撮影モードＨ１３と、位置情報Ｈ１４と、方位情報Ｈ１５と、方位マーク検出情報Ｈ１６と、縮尺マーク検出情報Ｈ１７と、文字記号検出情報Ｈ１８とを有する。なお、ヘッダ情報Ｈ１は、上述した以外の撮影に関する情報を有してもよい。
【００６９】
撮影条件Ｈ１２には、表示装置１の撮影に関する条件、たとえば露出条件、Ｔｖ値、Ａｖ値およびカラーバランス等が記載されている。撮影モードＨ１３には、表示装置１の撮影モードに関する情報が記載されている。位置情報Ｈ１４には、表示装置１の位置情報が記載されている。この位置情報Ｈ１４は、システムコントローラ１９がＧＰＳ受信部１８を介して衛星から受信した衛星の軌道情報に基づいて検出した表示装置１の位置が記載されている。方位情報Ｈ１５には、方位検出部１０が検出した方位情報が記載されている。
【００７０】
方位マーク検出情報Ｈ１６には、方位マーク検出情報の有無Ｈ１６１と、方位マークの検出位置Ｈ１６２と、画像上の方位マークの方向Ｈ１６３とが記載されている。検出位置Ｈ１６２には、画像データＤ１に対応する画像の中心を原点とし、画像の垂直方向の位置と水平方向の位置とを成分とする座標系で見たときの座標が記載されている。方向Ｈ１６３には、表示装置１の表示部１３の画面を水平状態にした場合において、画面の中心から画面内の垂直方向に伸びる方向を基準（０度）として右回りにみたときに、方位検出部１０が検出した北と方位マークの北との差（θ）が記載されている。
【００７１】
縮尺マーク検出情報Ｈ１７には、縮尺マーク検出の有無Ｈ１７１と、縮尺マークの検出位置Ｈ１７２と、画像上の縮尺マークの長さＨ１７３とが記載されている。検出位置Ｈ１７２には、文字記号検出部１９ｈが画像データから縮尺マークを検出した座標点が記載されている。長さＨ１７３には、画像上における縮尺マークの長さ（Ｌ）と、画像の縮尺比率とが記載されている。
【００７２】
文字記号検出情報Ｈ１８には、少なくとも文字記号検出の有無Ｈ１８１と、文字記号を検出した数（Ｎ）Ｈ１８２と、文字の検出位置Ｈ１８３と、検出した文字Ｈ１８４とが記載されている。検出位置Ｈ１８３には、文字記号検出部１９ｈが画像データから文字記号を検出した座標点が記載されている。文字Ｈ１８４には、文字記号検出部１９ｈが画像データから検出した文字記号の内容が記載されている。文字記号検出情報Ｈ１８には、文字記号検出部１９ｈによって検出された文字記号が全て記載されている。
【００７３】
ここで、図３に戻り、ステップＳ１１１以降の処理について説明する。ステップＳ１１２において、システムコントローラ１９は、画像ファイル生成部１９ｊが生成した画像ファイルを圧縮・伸長部１９ｂで圧縮等の処理を施してメモリカード１５ａに記憶させ（ステップＳ１１２）、表示装置１はステップＳ１０１に戻る。
【００７４】
つぎに、ステップＳ１０２において、表示装置１が地図撮影モードに設定されていない場合（ステップＳ１０２：Ｎｏ）について説明する。この場合、システムコントローラ１９は、メモリカード１５ａに記憶された画像データを再生する再生表示処理（ステップＳ１１３）を実行し、表示装置１はステップＳ１０１に戻る。
【００７５】
つぎに、ステップＳ１１３の再生表示処理について説明する。図８は、図３に示す再生表示処理の概要を示すフローチャートである。図８に示すように、システムコントローラ１９は、メモリカード１５ａに記憶された複数の画像（サムネイル画像）をまとめて表示した画像選択画面を表示部１３に表示させる（ステップＳ２０１）。
【００７６】
続いて、システムコントローラ１９は、撮影者によって表示部１３が表示する画像選択画面の中から画像が選択されたか否かを判断する（ステップＳ２０２）。撮影者によって画像選択画面の中から画像が選択された場合（ステップＳ２０２：Ｙｅｓ）、表示装置１はステップＳ２０３に移行する。一方、撮影者によって画像選択画像の中から画像が選択されない場合（ステップＳ２０２：Ｎｏ）、表示装置１は後述するステップＳ２０８に移行する。
【００７７】
まず、撮影者によって画像選択画面の中から画像が選択された場合（ステップＳ２０２：Ｙｅｓ）について説明する。この場合、システムコントローラ１９は、撮影者によって選択された画像を表示部１３に全画面表示させ（ステップＳ２０３）、表示装置１はステップＳ２０４に移行する。
【００７８】
続いて、システムコントローラ１９は、表示部１３によって表示されている画像が地図モードで撮影された画像であるか否かを判断する（ステップＳ２０４）。具体的には、システムコントローラ１９は、現在表示している画像の画像ファイルに含まれるヘッダ情報に記載された撮影モード情報に基づいて、表示部１３によって表示されている画像が地図モードで撮影されたか否かを判断する。表示部１３によって表示されている画像が地図モードで撮影されている場合（ステップＳ２０４：Ｙｅｓ）、表示装置１はステップＳ２０５に移行する。一方、表示部１３によって表示されている画像が地図モードで撮影されていない場合（ステップＳ２０４：Ｎｏ）、表示装置１は後述するステップＳ２０９に移行する。
【００７９】
まず、表示部１３によって表示されている画像が地図モードで撮影されている場合（ステップＳ２０４：Ｙｅｓ）について説明する。この場合、システムコントローラ１９は、表示部１３が表示する画像の明るさを調整する（ステップＳ２０５）。具体的には、システムコントローラ１９は、表示部１３のバックライトの輝度を最大値まで上げることにより、表示部１３が表示する画像の明るさを調整する。これにより、撮影者が屋外で表示部１３に表示される画像を確認する際に視認性を高めることができる。なお、本実施の形態１では、画像の明るさだけでなく、画像処理部１９ａによって画像のコントラストを最大値まで上げて表示部１３に表示させるようにしてもよい。さらに、本実施の形態１では、画像の色の変更、画像内の文字あるいは記号を拡大して表示してもよい。
【００８０】
その後、システムコントローラ１９は、タッチパネル１４によって外部からの物体の接触位置に応じた信号が入力されたか否かを判断する（ステップＳ２０６）。具体的には、タッチパネル１４は、撮影者がタッチパネル１４をタッチした位置を出力する。外部からの物体の接触位置に応じた信号が入力されていない場合（ステップＳ２０６：Ｎｏ）、表示装置１はステップＳ２０８に移行する。これに対して、外部からの物体の接触位置に応じた信号が入力された場合（ステップＳ２０６：Ｙｅｓ）、システムコントローラ１９は、後述する画像内における他の領域に対して識別可能な状態で強調する強調表示処理を行い（ステップＳ２０７）、表示装置１はステップＳ２０８に移行する。
【００８１】
続いて、システムコントローラ１９は、撮影者によって画像再生の終了操作が行われたか否かを判断する（ステップＳ２０８）。具体的には、撮影者によってモード切換スイッチ１２ｃが操作され、表示装置１の他のモード、たとえば撮影モードに切換えられたか否かを判断する。画像再生の終了操作が行われていない場合（ステップＳ２０８：Ｎｏ）、表示装置１はステップＳ２０１に戻る。一方、画像再生の終了操作が行われた場合（ステップＳ２０８：Ｙｅｓ）、表示装置１はメインルーチンに戻る。
【００８２】
ここで、ステップＳ２０４において、表示部１３が表示する画像が地図モードで撮影された画像でない場合（ステップＳ２０４：Ｎｏ）について説明する。この場合、システムコントローラ１９は、表示部１３が表示する画像が所定時間表示されたか否かを判断する。表示部１３が表示する画像が所定時間表示されていない場合（ステップＳ２０９：Ｎｏ）、システムコントローラ１９はこの判断を繰り返す。一方、表示部１３が表示する画像が所定時間表示されている場合（ステップＳ２０９：Ｙｅｓ）、表示装置１はステップＳ２０８に移行する。
【００８３】
つぎに、ステップＳ２０７の強調表示処理について説明する。図９は、強調表示処理の概要を示すフローチャートである。図９に示すように、まず、領域設定部１９ｇは、表示部１３が表示している画像に対し、タッチパネル１４における外部からの物体の接触位置に応じて切換領域を設定する（ステップＳ３０１）。
【００８４】
図１０は、撮影者によってタッチパネル１４がタッチされた位置に応じて領域設定部が設定する切換領域を示す図である。図１０に示すように、撮影者が右手の人差し指でタッチパネル１４に接触させた場合（図１０（ａ））、領域設定部１９ｇは、撮影者が人差し指でタッチパネル１４を接触した位置に対応する画像の領域Ｒ１に対して、画像内における他の領域に対して識別可能な状態に表示態様を切換える切換領域Ｒ２を設定する（図１０（ｂ））。
【００８５】
ステップＳ３０２において、文字記号判定部１９ｋは、ヘッダ情報生成部１９ｉが生成したヘッダ情報Ｈ１を参照して、領域設定部１９ｇが設定した切換領域Ｒ２に含まれる地図情報を判定する。具体的には、図１０（ｂ）に示すように、文字記号判定部１９ｋは、ヘッダ情報生成部１９ｉが生成したヘッダ情報Ｈ１（図７を参照）を参照して、領域設定部１９ｇが設定した切換領域Ｒ２に含まれる地図情報を判定する。この場合、文字記号判定部１９ｋは、地図情報として「ホール」を判定する。
【００８６】
続いて、システムコントローラ１９は、文字記号判定部１９ｋが判定した地図情報を画像処理部１９ａに白色化させる（ステップＳ３０３）。具体的には、図１１に示すように、画像処理部１９ａは、文字記号判定部１９ｋが判定した地図情報に対応する領域の画素の色の成分の強さ（ＲＧＢ）を最大値まで上げる変更を行うことにより、地図情報に対応する領域の画素の色を白色化する（図１１（ａ）→図１１（ｂ））。
【００８７】
その後、システムコントローラ１９は、画像処理部１９ａによる地図情報の色を変更する変更時間であるか否かを判断する（ステップＳ３０４）。具体的には、システムコントローラ１９は、画像処理部１９ａによる地図情報に対応する領域の画素の色の成分の強さを変更後、たとえば０．５秒経過したか否かを判断する。画像処理部１９ａによる地図情報に対応する領域の画素の色を変更する変更時間である場合（ステップＳ３０４：Ｙｅｓ）、表示装置１はステップＳ３０５に移行する。一方、画像処理部１９ａによる地図情報に対応する領域の画素の色を変更する変更時間でない場合（ステップＳ３０４：Ｎｏ）、表示装置１は後述するステップＳ３０８に移行する。
【００８８】
ステップＳ３０５において、システムコントローラ１９は、文字記号判定部１９ｋが判定した地図情報を画像処理部１９ａに黒色化させる（ステップＳ３０５）。具体的には、図１１に示すように、画像処理部１９ａは、文字記号判定部１９ｋが判定した地図情報に対応する領域の画素の色の成分の強さ（ＲＧＢ）を最大値から最小値まで下げる変更を行うことにより、地図情報に対応する領域の画素の色を黒色化する（図１１（ｂ）→図１１（ｃ））。
【００８９】
その後、システムコントローラ１９は、画像処理部１９ａによる地図情報の色を変更する変更時間であるか否かを判断する（ステップＳ３０６）。画像処理部１９ａによる地図情報の色を変更する変更時間である場合（ステップＳ３０６：Ｙｅｓ）、表示装置１はステップＳ３０７に移行する。一方、画像処理部１９ａによる地図情報の色を変更する変更時間でない場合（ステップＳ３０６：Ｎｏ）、表示装置１はステップＳ３０８に移行する。
【００９０】
ステップＳ３０７において、システムコントローラ１９は、文字記号判定部１９ｋが判定した地図情報を画像処理部１９ａに白色化させ、表示装置１はステップＳ３０８に移行する。
【００９１】
続いて、システムコントローラ１９は、文字記号判定部１９ｋが判定した地図情報を画像処理部１９ａによって地図情報の色を最初に白色化してから所定時間経過したか否かを判断する（ステップＳ３０８）。地図情報の色を最初に白色化してから所定時間経過していない場合（ステップＳ３０８：Ｎｏ）、表示装置１はステップＳ３０４に戻る。これに対して、地図情報の色を最初に白色化してから所定時間経過している場合（ステップＳ３０８：Ｙｅｓ）、表示装置１はメインルーチンに戻る。
【００９２】
以上説明した本実施の形態１によれば、領域設定部１９ｇが表示部１３によって表示されている画像に対し、タッチパネル１４における外部からの物体の接触位置に応じて定められ、画像内における表示態様が切換え可能な切換領域を設定し、システムコントローラ１９が領域設定部１９ｇによって設定された切換領域の表示態様を画像内における他の領域に対して識別可能な表示態様に切換えて表示部１３に表示させる制御を行う。さらに、システムコントローラ１９が文字記号判定部１９ｋの判定結果に応じて切換領域に含まれる地図情報を強調して表示部１３に表示させる制御を行う。さらにまた、システムコントローラ１９は、切換領域に含まれる地図情報の表示色を周期的に変更して表示部１３に表示させる。これにより、撮影者は、タッチパネル１４を介して表示部１３が表示する画像の領域に含まれる所望の地図情報を点滅させる表示態様に切換えることができ、屋外では視認しづらい地図等の画像であっても、画像内に含まれる地図情報が点滅するので表示部１３が表示する画像を容易に屋外で確認することができる。
【００９３】
また、上述した本実施の形態１では、領域設定部１９ｇがタッチパネル１４における外部からの物体の接触位置に応じて定められ、画像内における表示態様が切換え可能な切換領域を設定していたが、たとえば、タッチパネル１４における外部からの物体の接触位置の軌跡に応じて画像内における表示態様が切換え可能な切換領域を設定してもよい。具体的には、図１２に示すように、領域設定部１９ｇは、タッチパネル１４における外部からの物体の接触位置の軌跡L１に応じて画像内における表示態様が切換え可能な切換領域Ｒ３を設定してもよい。これにより、撮影者は、表示部１３が表示する画像に含まれる地図情報の大きさに合わせて画像内における表示態様が切換え可能な切換領域を設定することができる。さらに、撮影者は、表示部１３が表示する画像における所望の領域を、画像内における表示態様が切換え可能な切換領域に設定することができる。
【００９４】
また、上述した本実施の形態１では、システムコントローラ１９が切換領域に含まれる文字記号情報を強調して表示部１３に表示させる制御を行っていたが、たとえばヘッダ情報生成部１９ｉが生成したヘッダ情報を表示部１３の画面上に表示させ、撮影者によって選択された文字記号情報を強調して表示部１３に表示させる制御を行ってもよい。これにより、撮影者は、画像内から所望の文字や記号等が確認することができなくても、表示部１３に表示されるヘッダ情報から所望の文字や記号を選択することにより、選択された文字記号情報が表示部１３に強調して表示されるので画像から容易に確認することができる。さらに、画像内から所望の文字や記号を容易に検索することができる。
【００９５】
また、上述した本実施の形態１では、文字記号検出部１９ｈが画像内に含まれる地図情報として文字および地図記号を検出していたが、たとえば道や建物の形状等であってもよい。
【００９６】
また、上述した本実施の形態１では、文字記号検出部１９ｈが被写体として地図案内板Ｏ１を撮影した画像内から文字記号情報を検出していたが、たとえば被写体として時刻表や本等を撮影した画像内から文字記号情報を検出してもよい。
【００９７】
また、上述した本実施の形態１では、システムコントローラ１９は、モード切換スイッチ１２ｃで地図撮影モードに設定されている場合にのみ本処理を行っていたが、たとえば通常の撮影時に文字記号検出部１９ｈが画像内から文字記号情報を検出した場合、自動的に地図撮影モードに表示装置１の撮影モードが設定されるようにしてもよい。
【００９８】
（実施の形態２）
つぎに、本実施の形態２について説明する。上述した実施の形態１では、領域設定部１９ｇによって設定された切換領域内に含まれる地図情報を点滅させることにより表示部１３の表示態様を変更していたが、本実施の形態２では、領域設定部１９ｇによって設定された切換領域内に含まれる地図情報に応じて所定の大きさを有する強調画像を生成し、この強調画像を所定の間隔ごとに表示部１３に表示させることにより、表示部１３の表示態様を変更する。なお、本実施の形態２の表示装置は、上述した本実施の形態１の表示装置１と同様の構成を有し、強調表示処理のみ異なる。このため、本実施の形態２に係る表示装置１による強調表示処理のみ説明する。
【００９９】
図１３は、強調表示処理の概要を示すフローチャートである。図１３に示すように、まず、領域設定部１９ｇは、表示部１３が表示している画像に対し、タッチパネル１４における外部からの物体の接触位置に応じて表示態様を切換える切換領域を設定し（ステップＳ４０１）、表示装置１はステップＳ４０２に移行する。
【０１００】
続いて、文字記号判定部１９ｋは、ヘッダ情報生成部１９ｉが生成したヘッダ情報Ｈ１と領域設定部１９ｇが設定した切換領域とに基づいて、切換領域に含まれる地図情報を判定する（ステップＳ４０２）。
【０１０１】
その後、強調画像生成部１９ｌは、文字記号判定部１９ｋが判定した切換領域に含まれる地図情報の表示面積および／または表示色を変化させて強調する強調画像を生成し（ステップＳ４０３）、表示装置１はステップＳ４０４に移行する。
【０１０２】
図１４は、強調画像生成部１９ｌによる強調画像の生成方法を説明する模式図である。図１４に示すように、強調画像生成部１９ｌは、文字記号判定部１９ｋによって判定された切換領域Ｒ４に含まれる地図情報の表示面積、たとえば領域設定部１９ｇが設定した切換領域Ｒ４の面積の１０倍程度の面積を有する強調画像Ｚ１を生成する（図１４（ａ）→図１４（ｂ））。この場合、強調画像生成部１９ｌは、文字記号判定部１９ｋが判定した地図情報である「ホール」を含めた強調画像Ｚ１を生成する。また、強調画像生成部１９ｌは、強調画像Ｚ１の色を予め設定された色、たとえば白や赤で生成してもよい。
【０１０３】
ステップＳ４０４において、システムコントローラ１９は、強調画像生成部１９ｌが生成した強調画像Ｚ１を切換領域Ｒ４に重ねて表示部１３に表示させ、強調画像Ｚ１を非表示にする変更時間であるか否かを判断する（ステップＳ４０５）。強調画像Ｚ１を非表示にする変更時間である場合（ステップＳ４０５：Ｙｅｓ）、表示装置１はステップＳ４０６に移行する。一方、強調画像Ｚ１を非表示にする変更時間でない場合（ステップＳ４０５：Ｎｏ）、表示装置１は後述するステップＳ４０９に移行する。
【０１０４】
ステップＳ４０６において、システムコントローラ１９は、表示部１３が表示している強調画像Ｚ１を非表示にし、表示装置１はステップＳ４０７に移行する。
【０１０５】
続いて、システムコントローラ１９は、強調画像Ｚ１を表示する変更時間であるか否かを判断する（ステップＳ４０７）。強調画像Ｚ１を表示する変更時間である場合（ステップＳ４０７：Ｙｅｓ）、表示装置１はステップＳ４０８に移行する。一方、強調画像Ｚ１を表示する変更時間でない場合（ステップＳ４０７：Ｎｏ）、表示装置１はステップＳ４０９に移行する。
【０１０６】
ステップＳ４０８において、システムコントローラ１９は、強調画像Ｚ１を切換領域Ｒ３に重ねて表示部１３に表示させ、表示装置１はステップＳ４０９に移行する。
【０１０７】
続いて、システムコントローラ１９は、強調画像生成部１９ｌが生成した強調画像Ｚ１を最初に表示してから所定時間経過したか否かを判断する（ステップＳ４０９）。強調画像Ｚ１を最初に表示してから所定時間経過していない場合（ステップＳ４０９：Ｎｏ）、表示装置１はステップＳ４０５に戻る。一方、強調画像Ｚ１を最初に表示してから所定時間経過した場合（ステップＳ４０９：Ｙｅｓ）、表示装置１はメインルーチンに戻る。
【０１０８】
以上説明した本実施の形態２では、強調画像生成部１９ｌが文字記号判定部１９ｋによって判定された切換領域Ｒ４に含まれる地図情報の表示面積および／または表示色を変化させて強調する強調画像Ｚ１を生成し、システムコントローラ１９が強調画像生成部１９ｌによって生成された強調画像Ｚ１を所定の間隔で切換領域Ｒ４に重ねて表示部１３に表示させる制御を行う。これにより、本実施の形態１と同様に、撮影者は、タッチパネル１４を介して表示部１３が表示する画像の領域に含まれる所望の地図情報を強調画像Ｚ１で表示態様に切換えることができ、屋外では視認しづらい地図等の画像であっても、地図情報が強調画像Ｚ１として大きく表示部１３に表示されるので、屋外でも容易に画像を確認することができる。
【０１０９】
（実施の形態３）
つぎに、本実施の形態３について説明する。上述した実施の形態１，２では、表示部１３が表示する画像に含まれる地図情報をタッチパネル１４における外部からの物体の接触位置に応じて表示部１３に強調表示させていたが、本実施の形態３では、表示部１３が表示している画像に対し、タッチパネル１４における外部からの接触位置に応じて識別可能な識別記号を付加して表示部１３に強調表示させる。
【０１１０】
図１５は、本実施の形態３に係る表示装置の構成を示すブロック図である。図１５に示す表示装置１００は、システムコントローラ２０および不揮発性メモリ２１を備える。なお、図１５において、上述した本実施の形態１，２で説明したシステムコントローラ１９および不揮発性メモリ１６と同じ構成を有する部位については、同一の符号を付している。
【０１１１】
図１５に示すシステムコントローラ２０は、識別記号付加部２０ａを有する。識別記号付加部２０ａは、表示部１３が表示している画像に対して識別可能な識別記号を領域設定部１９ｇが設定した切換領域に付加する。
【０１１２】
システムコントローラ２０は、識別記号付加部２０ａによって表示部１３が表示する画像に付加された識別記号を表示部１３に強調表示させる。
【０１１３】
図１５に示す不揮発性メモリ２１は、文字テンプレート情報メモリ２１ａを有する。文字テンプレート情報メモリ２１ａは、識別記号付加部２０ａが表示部１３によって表示される画像に対して付加する識別記号として文字および／または記号を文字テンプレートとして記憶する。
【０１１４】
以上のように構成された表示装置１００が行う処理は、上述した実施の形態１で説明した処理と同様の流れを有し（図３および図８を参照）、強調表示処理のみ異なる。このため、本実施の形態３に係る表示装置１００による強調表示処理のみ説明する。
【０１１５】
図１６は、本実施の形態３に係る表示装置１００の強調表示処理の概要を示すフローチャートである。図１７は、表示部１３が表示する画像の一例を示す図である。
【０１１６】
図１６に示すように、まず、領域設定部１９ｇは、表示部１３が表示している画像に対し、タッチパネル１４における外部からの物体の接触位置に応じて表示態様を切換える切換領域を設定する（ステップＳ５０１）。
【０１１７】
続いて、識別記号付加部２０ａは、領域設定部１９ｇが設定した切換領域に識別記号を付加する（ステップＳ５０２）。具体的には、図１７（ａ）に示すように、識別記号付加部２０ａは、領域設定部１９ｇが設定した切換領域の中心に識別記号Ｍ１を付加する。
【０１１８】
その後、システムコントローラ２０は、文字テンプレート情報メモリ２１ａが記憶する文字テンプレートを表示部１３に表示させる（ステップＳ５０３）。具体的には、図１７（ｂ）に示すように、システムコントローラ２０は、表示部１３が表示している画像Ｗ５内に文字テンプレートＫ１を表示部１３に表示させる。
【０１１９】
続いて、システムコントローラ２０は、表示部１３が表示している文字テンプレートＫ１の中から文字を示すアイコンが選択されたか否かを判断する（ステップＳ５０４）。具体的には、システムコントローラ２０は、表示部１３が表示している文字テンプレートＫ１の位置に対応するタッチパネル１４の位置に撮影者による接触があったか否かを判断する。アイコンが選択された場合（ステップＳ５０４：Ｙｅｓ）、表示装置１００はステップＳ５０５に移行する。アイコンが選択されていない場合（ステップＳ５０４：Ｎｏ）、表示装置１００は後述するステップＳ５０６に移行する。
【０１２０】
ステップＳ５０５において、システムコントローラ２０は、表示部１３が表示している識別記号Ｍ１の上部に文字テンプレートＫ１内から選択されたアイコンを付加して表示部１３に表示させる。具体的には、図１７（ｃ）に示すように、撮影者によって文字テンプレートＫ１内から「Ｓｔａｒｔ」が選択された場合、システムコントローラ２０は、表示部１３が表示している識別記号Ｍ１の上部に文字テンプレートＫ１内から選択されたアイコン「Ｓｔａｒｔ」を付加して表示部１３に表示させる。
【０１２１】
続いて、システムコントローラ２０は、識別記号付加部２０ａが付加した識別記号Ｍ１を画像処理部１９ａに白色化させる（ステップＳ５０６）。具体的には、システムコントローラ２０は、上述した本実施の形態１と同様に、識別記号Ｍ１の画素の色を最小値まで減少する変更を行うことにより、識別記号Ｍ１の画素の色を白色化する。
【０１２２】
その後、システムコントローラ２０は、画像処理部１９ａによる識別記号Ｍ１の色を変更する変更時間であるか否かを判断する（ステップＳ５０７）。画像処理部１９ａによる識別記号Ｍ１の色を変更する変更時間でない場合（ステップＳ５０７：Ｎｏ）、表示装置１００は後述するステップＳ５１１に移行する。一方、画像処理部１９ａによる識別記号の色を変更する変更時間である場合（ステップＳ５０７：Ｙｅｓ）、表示装置１００はステップＳ５０８に移行する。
【０１２３】
ステップＳ５０８において、システムコントローラ２０は、識別記号付加部２０ａが付加した識別記号Ｍ１を画像処理部１９ａに黒色化させ、表示装置１００はステップＳ５０９に移行する。
【０１２４】
続いて、システムコントローラ２０は、画像処理部１９ａによる識別記号Ｍ１の色を変更する変更時間であるか否かを判断する（ステップＳ５０９）。画像処理部１９ａによる識別記号Ｍ１の色を変更する変更時間でない場合（ステップＳ５０９：Ｎｏ）、表示装置１００はステップＳ５１１に移行する。一方、画像処理部１９ａによる識別記号Ｍ１の色を変更する変更時間である場合（ステップＳ５０９：Ｙｅｓ）、表示装置１００はステップＳ５１０に移行する。
【０１２５】
その後、システムコントローラ２０は、識別記号付加部２０ａが付加した識別記号Ｍ１を画像処理部１９ａに白色化させ（ステップＳ５１０）、表示装置１００はステップＳ５１１に移行する。
【０１２６】
続いて、システムコントローラ２０は、識別記号付加部２０ａが付加した識別記号Ｍ１を画像処理部１９ａによって識別記号Ｍ１の色の切換えを交互に行ってから所定時間経過したか否かを判断する（ステップＳ５１１）。識別記号Ｍ１の色の切換えを交互に行ってから所定時間経過していない場合（ステップＳ５１１：Ｎｏ）、表示装置１００はステップＳ５０６に戻る。一方、識別記号Ｍ１の色の切換えを交互に行ってから所定時間経過している場合（ステップＳ５１１：Ｙｅｓ）、表示装置１００はメインルーチンに戻る。
【０１２７】
以上説明した本実施の形態３によれば、識別記号付加部２０ａが領域設定部１９ｇによって設定された切換領域に識別記号Ｍ１を付加し、システムコントローラ２０が識別記号付加部２０ａによって付加された識別記号Ｍ１を表示部１３に強調表示させる制御を行う。これにより、撮影者は、表示部１３が表示する画像内に地図情報等の文字や記号がなくても、識別記号が所定間隔ごとに点滅するため、表示部１３が表示する画像を屋外で容易に確認することができる。
【０１２８】
また、本実施の形態３では、システムコントローラ２０は、識別記号付加部２０ａが付加した識別記号Ｍ１を所定間隔ごとに表示部１３に強調表示させていたが、たとえば文字テンプレートから選択されたアイコンを所定間隔ごとに表示部１３に強調表示させてもよい。さらに、システムコントローラ２０は、識別記号およびアイコンを表示部１３に強調表示させてもよい。
【０１２９】
（その他の実施の形態）
また、本実施の形態１〜３によれば、撮影者が地図案内板Ｏ１を撮影し、表示部１３が撮影した画像を表示するので、撮影者が事前に地図等の印刷物を用意する必要がない。さらに、インターネット等を介して地図データを取得する必要がないので、地図データの取得にかかる料金が発生することがない。
【０１３０】
また、本実施の形態１〜３では、システムコントローラ１９，２０は、画像処理部１９ａによって地図情報または識別記号を白または黒で所定間隔ごとに切換えることで点滅させていたが、たとえば赤や緑等であってもよい。
【０１３１】
また、本実施の形態１〜３では、領域設定部１９ｇは、切換領域を一箇所のみ設定していたが、タッチパネル１４における外部の接触位置の数に応じて切換領域を複数設定するようにしてもよい。
【０１３２】
また、本実施の形態１〜３では、被写体として地図案内板Ｏ１を撮影していたが、たとえば電車の時刻表、印刷物の地図、名刺あるいは本等であってもよい。
【０１３３】
また、本実施の形態１〜３では、地図撮影モードで撮影した画像のみ強調表示処理を行っていたが、たとえば通常の静止画撮影モードで撮影した画像に対しても強調表示処理を行ってもよい。この場合、システムコントローラ１９，２０は、静止画撮影モードで撮影した画像に対し、画像処理部１９ａによってホワイトバランス等を変更させることにより、画像内に含まれる地図情報を文字記号検出部１９ｈが検出することができる。
【０１３４】
また、本実施の形態１〜３では、システムコントローラ１９，２０は、撮像素子６によって生成された画像に対して強調表示処理を行っていたが、たとえば他の撮像装置やインターネットを介して取得した画像であってもよい。具体的には、他の撮像装置で撮影された画像を記憶したメモリカード１５ａを記録媒体インタフェース１５に挿入して表示部１３に表示させることで強調表示処理を行うようにしてもよい。
【０１３５】
また、本実施の形態１〜３では、表示装置１，１００をデジタル一眼レフカメラとして説明しているが、例えばデジタルビデオカメラやカメラ付き携帯電話等の各種電子機器に適用することができる。
【符号の説明】
【０１３６】
１，１００        表示装置
２                レンズ部
３                レンズ駆動機構
４                絞り駆動機構
４ａ              絞り
５                シャッタ駆動機構
５ａ              シャッタ
６                撮像素子
７                信号処理部
８                手ブレ検出部
９                姿勢検出部
１０              方位検出部
１１              音声入出力部
１２              操作入力部
１２ａ            電源スイッチ
１２ｂ            レリーズスイッチ
１２ｃ            モード切換スイッチ
１２ｄ            操作スイッチ
１２ｅ            ズームスイッチ
１３              表示部
１４              タッチパネル
１５              記録媒体インタフェース
１５ａ            メモリカード
１６，２１        不揮発性メモリ
１６ａ            プログラムコード
１６ｂ            制御パラメータ
１６ｃ            地図記号情報メモリ
１７              揮発性メモリ
１７ａ            ワークエリア
１８              ＧＰＳ受信部
１９，２０        システムコントローラ
１９ａ            画像処理部
１９ｂ            圧縮・伸長部
１９ｃ            ＡＦ制御部
１９ｄ            ＡＥ制御部
１９ｅ            タイマカウンタ
１９ｆ            顔検出部
１９ｇ            領域設定部
１９ｈ            文字記号検出部
１９ｉ            ヘッダ情報生成部
１９ｊ            画像ファイル生成部
１９ｋ            文字記号判定部
１９ｌ            強調画像生成部
２０ａ            識別記号付加部
２１ａ            文字テンプレート情報メモリ
Ｑ                光軸
Ｏ１              地図案内板
Ｆ１              画像ファイル
Ｈ１              ヘッダ情報
Ｄ１              画像データ
Ｒ２，Ｒ３，Ｒ４  切換領域
【図１】
2012008222.tif 000003
【図２】
2012008222.tif 000004
【図３】
2012008222.tif 000005
【図４】
2012008222.tif 000006
【図５】
2012008222.tif 000007
【図６】
2012008222.tif 000008
【図７】
2012008222.tif 000009
【図８】
2012008222.tif 000010
【図９】
2012008222.tif 000011
【図１０】
2012008222.tif 000012
【図１１】
2012008222.tif 000013
【図１２】
2012008222.tif 000014
【図１３】
2012008222.tif 000015
【図１４】
2012008222.tif 000016
【図１５】
2012008222.tif 000017
【図１６】
2012008222.tif 000018
【図１７】
2012008222.tif 000019